【事件の表示】
　特許第２８８７４７０号「植栽樹木の根鉢用締結具」の請求項１ないし４に係る特許に対する特許異議の申立てについて、次のとおり決定する。
【結　論】
　訂正を認める。
　特許第２８８７４７０号の請求項１、２、３に係る特許を維持する。
【理　由】
一、手続の経緯
　本件特許第２８８７４７０号発明（平成１０年２月２５日特許出願、平成１１年２月１９日設定登録）の特許に対し、特許異議申立人丹羽久卓（以下、「申立人」という。）より特許異議の申立てがなされ、当審において取消理由を通知したところ、その指定期間内の平成１２年６月２０日に訂正請求がなされたものである。
　
二、訂正の適否についての判断
１．訂正の内容
　本件訂正の趣旨は、本件特許明細書を訂正請求書に添付した訂正明細書のとおりに訂正することを求めるにあり、その訂正の要旨は、次のように訂正しようとするものである。
［訂正事項ａ］
　特許明細書の【特許請求の範囲】の
「【請求項１】根穴に設置された安定板に植栽樹木の根鉢を載置すると共に、該根鉢を前記安定板に対して弾性部材から成る弾性緊締具によって締結するようにしたことを特徴とする植栽樹木の根鉢用締結具。」の記載を、
「【請求項１】根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする植栽樹木の根鉢用締結具。」と訂正する。
［訂正事項ｂ］
　特許明細書の【特許請求の範囲】の
「【請求項２】根穴に設置される安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする請求項１記載の植栽樹木の根鉢用締結具。」の記載を、
「【請求項２】前記弾性緊締具の両端部には係止フックが固設され、該係止フックを前記押え部材の網材に引っ掛けるようにしたことを特徴とする請求項１記載の植栽樹木の根鉢用締結具。」と訂正する。
［訂正事項ｃ］
　特許明細書の【特許請求の範囲】の
「【請求項３】前記弾性緊締具の両端部には係止フックが固設され、該係止フックを前記押え部材の網材に引っ掛けるようにしたことを特徴とする請求項２記載の植栽樹木の根鉢用締結具。」の記載を、
「【請求項３】前記押え部材は前記規制部の反対側に叩打部を備えたことを特徴とする請求項１記載の植栽樹木の根鉢用締結具。」と訂正する。
［訂正事項ｄ］
　特許明細書の【特許請求の範囲】の
「【請求項４】前記押え部材は前記規制部の反対側に叩打部を備えたことを特
徴とする請求項２記載の植栽樹木の根鉢用締結具。」の記載を、削除する。
［訂正事項ｅ］
　特許明細書２頁２９行〜５頁２行の段落番号【０００７】の【課題を解決するための手段】の
「上記の目的を達成するために、本発明の植栽樹木の根鉢用締結具は、根穴に設置された安定板に植栽樹木の根鉢を載置すると共に、該根鉢を前記安、板に対して弾性部材から成る弾性緊締具によって締結するようにしたものである。」の記載を、
「上記の目的を達成するために、本発明の植栽樹木の根鉢用締結具は、根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたものである。」と訂正する。
［訂正事項ｆ］
　特許明細書３頁４行〜１２行の段落番号【０００８】の
「また、根穴に設置される安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしてもよい。」の記載を、削除する。
［訂正事項ｇ］
　特許明細書９頁１４行の【符号の説明】の欄の
「７・・・弾性緊締具７」の記載を、
「７・・・弾性緊締具」と訂正する。
　
２．訂正の目的の適否、新規事項の有無及び拡張・変更の存否
　上記訂正事項ａの訂正は、特許請求の範囲の減縮を目的とするものに該当する。
　上記訂正事項ｂ〜ｄの訂正は、特許請求の範囲請求項２ないし請求項４の記載を訂正後の特許請求の範囲の請求項１の記載と整合させるためのものであるから、上記訂正事項ｂ〜ｄの訂正は、明りょうでない記載の釈明を目的とするものに該当する。
  上記訂正事項ｅ〜ｆの訂正は、発明の詳細な説明の記載を訂正後の特許請求の範囲の記載と整合させるためのものであるから、上記訂正事項ｅ〜ｆの訂正は、明りょうでない記載の釈明を目的とするものに該当する。
　上記訂正事項ｇの訂正は、誤記の訂正を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．独立特許要件の判断
（１）訂正明細書の発明
　訂正明細書の請求項１に係る発明（以下、「訂正明細書の発明」という。）は、訂正明細書の特許請求の範囲の請求項１に記載された次の事項により特定されるとおりのものである。（上記二、「１．訂正の内容」の欄に訂正事項ａとして記載した請求項１を参照。）
「【請求項１】根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする植栽樹木の根鉢用締結具。」
（２）引用刊行物
［引用刊行物１］：特開平１０−１４４１８号公報（申立人提出の甲第１号証）
［引用刊行物２］：特開平９−２４８０７５号公報（申立人提出の甲第２号証）
（３）各引用刊行物に記載の発明
　上記［引用刊行物１］には、次の事項が記載されている。
「【０００２】【従来の技術】例えば、図１に示すような植樹における根鉢用の支持装置において、根鉢は、装置に対し、バンド、ベルト、ロープ等のスリングにより縛り着けられる。【０００３】図１において、支持装置１は、樹木２の根鉢３を支持する枠体４を有し、該枠体４に適宜、脚６を設けている。そこで、根鉢３をスリング７により枠体４に縛り着けた状態で、地面に掘削した植樹穴に挿入設置し、その後、穴に土砂を充填することにより、地上に添え木を必要としない植樹を行う。【０００４】前記支持装置は既に公知であり、図１に例示したものの他、種々の構成が公知であるが、何れの場合においても、根鉢３は、バンド、ベルト、ロープ等のスリングにより枠体４に縛り着けられる。【０００５】即ち、樹木２の根本近傍には、スリング７によるループ部７ａが形成され、該ループ部７ａと枠体４の間にスリング７の架設部７ｂが掛け渡される。前記ループ部７ａは、図示省略したウインチを介して環状に形成され、樹木２の根本を取り巻いている。前記架設部７ｂは、ループ部７ａから放射方向に配置され、脚６に係止した金具８に該架設部７ｂを構成するスリング７を挿通して折返した後、弛止め用のバックル９を介してウインチ１０に連結される。該ウインチ１０は、前記ループ部７ａに金具１１を介して連結されており、この状態でウインチによりループ部７ａを輪が小さくなるように緊締すると共に、ウインチ１０を巻いて架設部７ｂにより根鉢３を締めつけ、枠体４と根鉢３の結合を強固にする。」（２頁１欄１７行〜４５行）。
　そうしてみると、上記の記載からみて、引用刊行物１には、「地面に掘削した植樹穴に設置された枠体４及び脚６に樹木２の根鉢３を載置すると共に、該根鉢３を前記枠体４及び脚６に対してバンド、ベルト、ロープ等のスリング７によって締結するようにした植樹における根鉢用の支持装置」が記載されていると認める。
　上記［引用刊行物２］には、次の事項が記載されている。
「【０００９】そして、このような相反する問題点は、本質的に同時には解決し得ないものであるが、従来では樹木の支持力を損なわせないとの観点より、ある程度の緊締力により樹木の根元部に巻装具を巻装し、その巻装具として金属製のワイヤータイプのものや、化学繊維からなるもの、或いはゴム製のもの等が使用されていた。」（２頁２欄１９行〜２４行）、及び
「【００１２】これに対して化学繊維やゴムからなる巻装具は、金属製のものに比べると可撓性を有するため、樹木への食い込みも金属製の巻装具に比べると緩和される。」（２頁２欄３２行〜３５行）。
（４）対比・判断
　ここで、訂正明細書の発明と引用刊行物１に記載の発明とを対比すると、引用刊行物１記載の発明の「地面に掘削した植樹穴」「枠体４及び脚６」「樹木２の根鉢３」「バンド、ベルト、ロープ等のスリング７」「植樹における根鉢用の支持装置」が、訂正明細書の発明の「根穴」「安定板」「植栽樹木の根鉢」「緊締具」「植栽樹木の根鉢用締結具」にそれぞれ相当する。
　そうすると、両者は「根穴に設置された安定板に植栽樹木の根鉢を載置すると共に、該根鉢を前記安定板に対して緊締具によって締結するようにした植栽樹木の根鉢用締結具」の点で一致する。
　しかしながら、引用刊行物１には、訂正明細書の発明を特定し、本件訂正によって限定された事項である「前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結すること」の構成が記載されてなく、示唆されてもいない。また、引用刊行物２にも、該構成が記載されてなくその示唆もない。そして、訂正明細書の発明は前記構成により明細書に記載の効果を奏するものと認められる。
　そうしてみると、訂正明細書の発明を、上記引用刊行物１又は引用刊行物２にそれぞれ記載された発明であるとすることができないばかりでなく、上記引用刊行物１及び引用刊行物２に記載された発明に基いて当業者が容易に発明をすることができたものとすることもできない。
　したがって、訂正明細書の発明は特許出願の際独立して特許を受けることができるものである。
　
４．むすび
　以上のとおりであるから、上記訂正請求は、平成１１年改正前の特許法第１２０条の４第２項及び同条第３項において準用する特許法第１２６条第２項〜第４項の訂正に関する規定に適合するので、当該訂正を認める。
　
三、特許異議申立てについての判断
１．特許異議申立理由の概要
　申立人は下記の証拠方法を提示して、
（１）本件の請求項１に係る発明は甲第１号証ないし甲第４号証に記載された発明に基いて当業者が容易に発明をすることができたものであるから、本件の請求項１に係る発明の特許は、特許法第２９条第２項の規定に違背してなされたものであり、
（２）本件の請求項１に係る発明は、その「該根鉢を前記安定板に対して弾性部材から成る弾性緊締具によって締結するようにした」という技術手段によっても、発明の課題を解決することができないいわゆる未完成発明であり、本件の請求項１に係る発明は特許法第２９条第１項柱書きに該当するものであるから、本件特許は取り消されるべきである、
と主張している。
　　　　　　　　　　　　　　　　　記
・甲第１号証：特開平１０−１４４１８号公報
・甲第２号証：特開平９−２４８０７５号公報
・甲第３号証：特開平５−１６８３５５号公報
・甲第４号証：「高分子新素材便覧」丸善株式会社、Ｐ．５６６、平成１年９月２０日発行
　
２．当審の判断
［２−１］特許法第２９条第２項について
（１）本件発明
　本件の発明は、訂正明細書の特許請求の範囲の請求項１に記載された事項により特定されるとおりのものである。（以下、これを「本件発明」という。上記二、「３．独立特許要件の判断」の欄の「訂正明細書の発明」を参照。）
（２）甲号各証に記載の発明
［甲第１号証］には、上記二、「３．独立特許要件の判断」の（３）各引用刊行物に記載の発明の欄に、引用刊行物１に記載の発明として記載したとおりの事項が記載されている。
［甲第２号証］には、上記二、「３．独立特許要件の判断」の（３）各引用刊行物に記載の発明の欄に、引用刊行物２に記載の発明として記載したとおりの事項が記載されている。
［甲第３号証］には、植樹方法に関し、「ロープ２２により、保護土塊１１が弾性的に保持される。」（２頁２欄６行〜７行）が記載されている。
［甲第４号証］には、エラストマーの定義について、「エラストマーとは一般に常温でゴム弾性（ｅｌａｓｔｉｃｉｔｙ）を示す高分子化合物を指すが，定義としては，常温下で外力を加えた場合，２００％以上の伸びを示し，かつ外力を除けば速やかに元の長さに戻る特性をもつものとされている．」が記載されている。
（３）判断
　本件発明と甲第１号証に記載の発明とを対比すると、上記二、「３．独立特許要件の判断」の（４）対比・判断の欄に記載したとおり、甲第１号証には、本件発明を特定する事項である「前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結すること」の構成が記載されてなく、また示唆されてもいない。
　また、本件発明と甲第２号証ないし甲第４号証に記載の発明とを対比しても、本件発明の前記構成が記載されてなく示唆もない。
　そして、本件発明は前記構成により明細書記載の効果を奏するものと認められるから、本件発明を、甲第１号証ないし甲第４号証の何れかに記載された発明であるとすることも、また、甲第１号証ないし甲第４号証に記載された発明に基いて当業者が容易に発明をすることができたものとすることもできない。
　
［２−２］特許法第２９条第１項柱書きについて　
（１）本件発明
　本件発明は、前記二、「３．独立特許要件の判断」の欄に「訂正明細書の発明」として記載した次のとおりのものである。
「【請求項１】根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする植栽樹木の根鉢用締結具。」
（２）本件発明の課題
　本件発明の課題は、特許明細書に「発明が解決しようとする課題」として記載されたとおりの次のものである。
「【０００４】【発明が解決しようとする課題】ところで、上記のように植栽樹木の根鉢を安定板に締結するのに用いる緊締具としては、例えば、鋼材から成るワイヤ、布製のベルト、合成樹脂製のロープ等があり、いずれも伸縮性のない非弾性の部材を用いることが一般的であった。」（特許明細書２頁９行〜１３行）
「【０００５】これは、根穴に植入した根鉢を根穴内の安定板に対して非弾性的に堅固に固定することによって植栽樹木の安定的な自立が達成されるという、従来、常識的に考えられていた技術を踏襲していたに過ぎない。」（特許明細書２頁１４行〜１７行）
「【０００６】ところが、上記のように、安定板に対して根鉢を非弾性的に固定する方法を用いた場合、植栽の当初、強風等によって植栽樹木が揺さぶられたり傾倒したりすると、元の自立状態に復帰することができず、この傾倒状態のままで根鉢が安定板に固定された状態を保つため、植栽樹木は傾倒したまま成長することとなる。本発明は、このような従来の問題点を解消するために成されたもので、地面に掘削された根穴内の安定板に固定された根鉢が強風等によって揺さぶられたり、傾倒することがあっても、この根鉢が元の直立状態に復帰されるように改善された植栽樹木の根鉢用締結具を提供することを目的とする。」（特許明細書２頁１８行〜２６行）
（３）判断
　上記（２）に摘記した特許明細書の「発明が解決しようとする課題」の記載によれば、本件発明の課題は、植栽樹木の根鉢を安定板に締結するのに用いる緊締具として伸縮性のない非弾性の部材を用いるという、安定板に対して根鉢を非弾性的に固定する従来の方法を用いた場合では、植栽の当初、強風等によって植栽樹木が揺さぶられたり傾倒したりすると、元の自立状態に復帰することができず、この傾倒状態のままで根鉢が安定板に固定された状態を保つため、植栽樹木は傾倒したまま成長するという課題があったのに対して、地面に掘削された根穴内の安定板に固定された根鉢が強風等によって揺さぶられたり、傾倒することがあっても、この根鉢が元の直立状態に復帰されるように改善された植栽樹木の根鉢用締結具を提供するというものである。
　そして、本件特許明細書の特許請求の範囲の請求項１に、「課題を解決するための手段」としての上記（１）に摘記した本件発明、が記載されているものである。
　而して、本件発明は、上記（１）に摘記したとおりであり、従来の伸縮性のない非弾性の部材ではない、根鉢を前記安定板に対して弾性部材から成る弾性緊締具によって締結するようにするだけではなく、根鉢の周囲を前記押え部材の網材で押えて夫々の網材を弾性部材から成る弾性緊締具によって互いに締結することにより、前記根鉢を前記安定板に対して弾性的に固定するようにしたものであるから、本件発明は、前記（２）本件発明の課題の欄に記載の「発明が解決しようとする課題」を解決し得る蓋然性を有するものと認められる。
　そうしてみると、本件発明が「地面に掘削された根穴内の安定板に固定された根鉢が強風等によって揺さぶられたり、傾倒することがあっても、この根鉢が元の直立状態に復帰されるように改善された植栽樹木の根鉢用締結具を提供する」という本件発明の課題を解決することができない未完成発明である、ということはできない。
　以上のとおりであるから、本件の請求項１に係る発明が、その「該根鉢を前記安定板に対して弾性部材から成る弾性緊締具によって締結するようにした」という技術手段によっても、発明の課題を解決することができないいわゆる未完成発明であり、本件の請求項１に係る発明は特許法第２９条第１項柱書きに該当するものである、ということはいえない。
　
３．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
　
【異議決定日】
平成１２年７月１２日（２０００．７．１２）
【訂正の要旨】
訂正の要旨
［訂正事項ａ］
　特許明細書の【特許請求の範囲】の
「【請求項１】根穴に設置された安定板に植栽樹木の根鉢を載置すると共に、該根鉢を前記安定板に対して弾性部材から成る弾性緊締具によって締結するようにしたことを特徴とする植栽樹木の根鉢用締結具。」
の記載を、特許請求の範囲の減縮を目的として
「【請求項１】根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする植栽樹木の根鉢用締結具。」と訂正する。
［訂正事項ｂ］
　特許明細書の【特許請求の範囲】の
「【請求項２】根穴に設置される安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたことを特徴とする請求項１記載の植栽樹木の根鉢用締結具。」
の記載を、明りょうでない記載の釈明を目的として、
「【請求項２】前記弾性緊締具の両端部には係止フックが固設され、該係止フックを前記押え部材の網材に引っ掛けるようにしたことを特徴とする請求項１記載の植栽樹木の根鉢用締結具。」と訂正する。
［訂正事項ｃ］
　特許明細書の【特許請求の範囲】の
「【請求項３】前記弾性緊締具の両端部には係止フックが固設され、該係止フックを前記押え部材の網材に引っ掛けるようにしたことを特徴とする請求項２記載の植栽樹木の根鉢用締結具。」
の記載を、明りょうでない記載の釈明を目的として、
「【請求項３】前記押え部材は前記規制部の反対側に叩打部を備えたことを特徴とする請求項１記載の植栽樹木の根鉢用締結具。」と訂正する。
［訂正事項ｄ］
　特許明細書の【特許請求の範囲】の
「【請求項４】前記押え部材は前記規制部の反対側に叩打部を備えたことを特徴とする請求項２記載の植栽樹木の根鉢用締結具。」の記載を、明りょうでない記載の釈明を目的として、削除する。
［訂正事項ｅ］
　特許明細書２頁２９行〜５頁２行の段落番号【０００７】の【課題を解決するための手段】の
「上記の目的を達成するために、本発明の植栽樹木の根鉢用締結具は、根穴に設置された安定板に植栽樹木の根鉢を載置すると共に、該根鉢を前記安、板に対して弾性部材から成る弾性緊締具によって締結するようにしたものである。」
の記載を、明りょうでない記載の釈明を目的として、
「上記の目的を達成するために、本発明の植栽樹木の根鉢用締結具は、根穴に設置された安定板に植栽樹木の根鉢を載置すると共に、該根鉢を前記安定板に対して弾性部材から成る弾性緊締具によって締結するようにした植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしたものである。」と訂正する。
［訂正事項ｆ］
　特許明細書３頁４行〜１２行の段落番号【０００８】の
「また、根穴に設置される安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにしてもよい。」
の記載を、明りょうでない記載の釈明を目的として、削除する。
［訂正事項ｇ］
　特許明細書９頁１４行の【符号の説明】の欄の
「７・・・弾性緊締具７」
の記載を、誤記の訂正を目的として
「７・・・弾性緊締具」と訂正する。
（５４）【発明の名称】
植栽樹木の根鉢用締結具
（５７）【特許請求の範囲】
　　【請求項１】根穴に設置された安定板に植栽樹木の根鉢を載置すると共に、該根鉢を前記安定板に対して弾性部材から成る弾性緊締具によって締結するようにした
植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにした
　　【請求項２】
前記弾性緊締具の両端部には係止フックが固設され、該係止フックを前記押え部材の網材に引っ掛けるようにしたことを特徴とする請求項１記載の
　　【請求項３】
前記押え部材は前記規制部の反対側に叩打部を備えたことを特徴とする請求項１記載の
【発明の詳細な説明】
　　　【０００１】
　　【発明の属する技術分野】
　本発明は、地面に掘削した根穴に植栽樹木の根鉢を植入して自立状態を維持するようにした植栽樹木の根鉢用締結具に関するものである。
　　　【０００２】
　　【従来の技術】
　従来の公園やゴルフ場或は街路等における樹木の植栽方法は、根穴に植入した樹木の適宜な部位に複数方向より支柱を結束してこの植栽樹木を自立状態にしていたのであるが、この支柱が公園やゴルフ場等における重大な支障となり、また美観を損なうという問題があった。
　　　【０００３】
　このような問題を解消するために、従来は、根穴に設けられた各種の安定板（抵抗板と称することもある）に植栽樹木の根鉢を載置すると共に、この根鉢を安定板に締結した後、根穴の隙間に掘削土を埋め戻すことにより、上記の支柱を用いることなく植栽樹木を地中に自立させるようにしていた。
　　　【０００４】
　　【発明が解決しようとする課題】
　ところで、上記のように植栽樹木の根鉢を安定板に締結するのに用いる緊締具としては、例えば、鋼材から成るワイヤ、布製のベルト、合成樹脂製のロープ等があり、いずれも伸縮性のない非弾性の部材を用いることが一般的であった。
　　　【０００５】
　これは、根穴に植入した根鉢を根穴内の安定板に対して非弾性的に堅固に固定することによって植栽樹木の安定的な自立が達成されるという、従来、常識的に考えられていた技術を踏襲していたに過ぎない。
　　　【０００６】
　ところが、上記のように、安定板に対して根鉢を非弾性的に固定する方法を用いた場合、植栽の当初、強風等によって植栽樹木が揺さぶられたり傾倒したりすると、元の自立状態に復帰することができず、この傾倒状態のままで根鉢が安定板に固定された状態を保つため、植栽樹木は傾倒したまま成長することとなる。
　　　【０００７】
　本発明は、このような従来の問題点を解消するために成されたもので、地面に掘削された根穴内の安定板に固定された根鉢が強風等によって揺さぶられたり、傾倒することがあっても、この根鉢が元の直立状態に復帰されるように改善された植栽樹木の根鉢用締結具を提供することを目的とする。
　　　【０００８】
　　【課題を解決するための手段】
　上記の目的を達成するために、本発明の植栽樹木の根鉢用締結具は、根穴に設置された安定板に植栽樹木の根鉢を載置すると共に、該根鉢を前記安定板に対して弾性部材から成る弾性緊締具によって締結するようにした
植栽樹木の根鉢用締結具において、前記安定板の略中央を向くように該安定板に固定された複数の案内部材に沿って押え部材が移動自在に設けられると共に、前記複数の案内部材の中央集合箇所に固設された集合板に尖形の突出部を上方に向けた固定部材が固着されることにより、前記安定板の略中央に載置された根鉢の底部を前記固定部材の突出部が突き刺して固定する一方、前記押え部材はその内側に載置された前記根鉢の周囲に食い込む規制部と前記根鉢の側面を押える網材とを有し、前記根鉢の周囲を前記押え部材の網材で押えて夫々の網材を弾性部材から成る弾性緊締具によって互いに締結することにより、前記根鉢を前記安定板に対して弾性的に固定するようにした
　　　【０００９】
　　さらに、前記弾性緊締具の両端部には係止フックが固設され、該係止フックを前記押え部材の網材に引っ掛けるようにしてもよい。
　　　【００１０】
　　また、前記押え部材は前記規制部の反対側に叩打部を備えた構成とするのが好ましい。
　　　【００１１】
　　【発明の実施の形態】
　以下、本発明の実施例について図面を参照しながら説明する。
　　　【００１２】
　本実施例の根鉢用締結具は、根穴に設置された安定板２に植栽樹木の根鉢１０を載置すると共に、この根鉢１０を安定板２に対して弾性部材から成る弾性緊締具７によって締結するようにしたもので、具体的には以下のような根鉢用締結具によって実現される。　　　　　　
　　　【００１３】
　図１は、本実施例の根鉢用締結具を構成する安定板２と案内部材３と集合板４とを組み合わせた平面図である。
　　　【００１４】
　安定板２は略正方形の辺部を成す有幅の平面板から成り、この安定板２の各辺の略中央から中心に向かって４個の案内部材３、３…が十字状に配され、夫々の案内部材３の外端部が安定板２に固定されると共に、安定板２の略中央に設けられた集合板４が各案内部材３、３…の中央集合箇所の端部の下面に固着されることにより、安定板２と各案内部材３、３…と集合板４とが平面状に一体化されている。
　　　【００１５】
　夫々の案内部材３は、図１または図２に示すように、断面が略Ｃ形に形成された長尺の部材を用いてあり、夫々の部材の上面の長手方向に沿って案内通路３ａを有するように形成されている。
　　　【００１６】
　また、集合板４は、図１に示すように、例えば、八角形を成し、中央にボルト５が立設されている。
　　　【００１７】
　なお、上記の案内部材３は４本を使用して十字状に形成してあるが、本発明はこれに限定されるわけではなく、それ以外の複数の案内部材３を用いて、これらの案内部材３、３…が安定板２の略中央を向くように固設されたものを用いてもよい。
　　　【００１８】
　また、上記の集合板４の略中央に立設されたボルト５に、図４（ａ）、（ｂ）に示す固定部材６が固定される。この固定部材６は、例えば八角形状の外周辺部に一つ間隔で尖形の突出部６ａが屈曲されて成り、中央には挿通孔６ｂが形成され、該挿通孔６ａに上記の集合板４のボルト５が挿入されてナット５ａ（図６参照）で締結されることにより、図６または図７に示すように、案内部材３の略中央に固定部材６が固定された状態となる。
　　　【００１９】
　図３（ａ）乃至（ｃ）は押え部材８であり、案内部材３の案内通路３ａに沿って移動自在に係合される係合部８ａと該係合部８ａに直立された規制部８ｂとで断面逆Ｔ字形に形成され、規制部８ｂは内側が傾斜辺８ｃを有し、また外側の下方には叩打部８ｄが張り出した形状にされ、この叩打部８ｄの上方には網材９の取付け辺８ｅが設けられ、この網材９の取付け辺８ｅには複数の凹部８ｆ、８ｆ…が形成され、夫々の凹部８ｆに網材９を構成する線材が係止された状態で固着される。
　　　【００２０】
　なお、網材９は根鉢１０の側面に当てるものであり、この根鉢１０の外周に沿う湾曲形状が規制部８ｂ側に凹んだ形状にされているが、網材９の孔形状は図３ｂに示すように菱形を成すほか、矩形またはその他の形状であってもよい。
　　　【００２１】
　また、図５に示す弾性緊締具７は、弾性ゴム等から形成された弾性部材の両端に挿通孔７ａ、７ａが設けられ、夫々の挿通孔７ａにＳ形の係止フック１１が係止されて成り、この係止フック１１を網材９に引っ掛けるようにしている。
　　　【００２２】
　本実施例の根鉢用締結具の各部材は上記のように構成され、押え部材８を各案内部材３に取付けると、図６または図７に示すようになる。即ち、押え部材８の規制部８ｂを内側に向けて係合部８ａを各案内部材３の外端から案内通路３ａに沿って挿入すると、夫々の押え部材８の傾斜辺８ｃが内側を向くと同時に網材９の凹んだ湾曲面が内側を向き、叩打部８ｄが外側を向いた状態にされる。
　　　【００２３】
　本実施例の根鉢用締結具を用いて植栽樹木の根鉢１０を移植するには、図７に示すように、押え部材８を各案内部材３、３…に挿入した安定板２を地面に掘削した根穴１２の底面に載置し、図８または図９に示すように、安定板２の中央の固定部材６に植栽樹木の根鉢１０を載置すると、固定部材６の尖形の突出部６ａ、６ａ…が根鉢１０の底部の略中心に突き刺さって根鉢１０の底部中央が安定板２に対して固定される。
　　　【００２４】
　そして、夫々の案内部材３、３…に挿入してあった押え部材８、８…を各案内部材３の案内通路３ａに沿って移動することにより、夫々の押え部材８、８…の網材９、９…を根鉢１０の周囲に当てる。この時、各押え部材８の叩打部８ｄをハンマーで叩いて、各押え部材８の規制部８ｂの傾斜辺８ｃを根鉢１０の周囲に食い込ませ、夫々の網材９、９…を根鉢１０の周囲に密着させる。この時、各押え部材８は夫々が独立して案内部材３に沿って移動するため、根鉢１０の形状がいかなるものであっても、夫々の網材９、９…を根鉢１０の周囲に密着させることができる。
　　　【００２５】
　さらに、各網材９に上記の弾性緊締具７の係止フック１１を引っ掛けて、夫々の網材９、９…を弾性的な締結状態にし、その後、根穴１２の周囲の隙間に掘削土を埋め戻すことにより、地面の上に根鉢用締結具の各部材が露出することなく自立した植栽樹木を得ることができる。
　　　【００２６】
　上記の弾性緊締具７の締結方法、即ち、弾性緊締具７の掛け方には種々の方法がある。例えば、図８または図９に示すように、植栽樹木の根部１３を挟んで根鉢１０の上面で平行二条にかけた弾性緊締具７の各係止フック１１を互いに対向する網材９に引っ掛けるようにしてもよい。
　　　【００２７】
　また、図１０に示すように、植栽樹木の根部１３の周辺に非弾性のロープ１４または弾性の緊締部材を環状に設け、この非弾性のロープ１４または弾性の緊締部材に本実施例の弾性緊締具７の一端の係止フック１１を掛け、夫々の弾性緊締具７の他端の係止フック１１を四方の網材９に引っ掛けるようにしてもよい。
　　　【００２８】
　また、図１１に示すように、互いに隣設する網材９、９同士を弾性緊締具７の各係止フック１１、１１で引っ掛けて、各網材９の近傍で弾性緊締具７、７がクロスするようにさせてもよい。
　　　【００２９】
　さらには、図１２に示すように、弾性緊締具７を根鉢１０の側面に回して隣設する網材９、９同士に弾性緊締具７の係止フック１１、１１を引っ掛けるようにしてもよい。なお、図１２の弾性緊締具７は平行に二条に用いてあるが、１条でもよいし、それ以外の複数条にしてもよい。
　　　【００３０】
　また、図１２に示すように、隣設する網材９、９同士に短尺の弾性緊締具７の係止フック１１、１１を引っ掛けるのではなく、図１３に示すように、長尺の弾性緊締具７を根鉢１０の側面に回してこの弾性緊締具７の長さに応じて両端の係止フック１１を網材９に引っ掛けるようにしてもよい。
　　　【００３１】
　いずれの締結方法であっても、本実施例の根鉢用締結具によれば、根鉢１０の底部中央は固定部材６の尖形の突出部６ａ、６ａ…が突き刺さることにより固定され、根鉢１０の周囲下方は各押え部材８、８…の規制部８ｂ、８ｂ…が食い込むことによって根鉢１０の周方向への移動が規制され、さらに根鉢１０の周囲または上方は夫々の網材９、９…に掛止された弾性緊締具７、７…によって締め付けられることにより、これらの押え部材８と弾性緊締具７を介して根鉢１０が安定板２に弾性的に定着された状態を保つ。
　　　【００３２】
　しかも、本実施例の弾性緊締具７を用いた植栽樹木の外周は、根鉢１０の略中央を向く案内部材３、３…に沿って移動自在にされた押え部材８、８…と夫々の押え部材８を弾性の弾性緊締具７、７…で弾性的に縛り付けてあるため、押え部材８、８…の網材９、９…は安定板２の略中央に向けて独立した挙動を呈すると共に、これらの網材９、９…に対して弾性緊締具７によって弾性的に根鉢１０を締結しているため、風によって反復する揺れが生じたり、根鉢１０を傾倒するような強風が吹いた場合でも、根鉢１０の形状が崩れにくく、弾性緊締具７によって弾性的に締結された根鉢１０を弾性緊締具７の復元力によって元の自立状態に復帰させることが可能となる。
　　　【００３３】
　　【発明の効果】
　以上説明したように、本発明の根鉢用締結具によれば、根穴に設けられた安定板に植栽樹木の根鉢を載置すると共に、該根鉢を安定板に対して弾性緊締具によって締結してあるため、風によって反復する揺れが生じたり、根鉢を傾倒するような強風が吹いた場合でも、弾性緊締具によって弾性的に締結された根鉢を弾性緊締具の復元力によって元の自立状態に復帰させることができる。
　　　【００３４】
　また、根鉢の略中央を向く案内部材に沿って移動自在にされた押え部材と夫々の押え部材を弾性の弾性緊締具で弾性的に縛り付けてあるため、押え部材の網材は安定板の略中央に向けて独立した挙動を呈すると共に、これらの網材に対して弾性緊締具によって弾性的に根鉢を締結しているため、風によって反復する揺れが生じたり、根鉢を傾倒するような強風が吹いた場合でも、根鉢の形状が崩れにくく、弾性緊締具によって弾性的に締結された根鉢を弾性緊締具の復元力によって元の自立状態に復帰させることができ、常に移植当初の自立状態を安定して保つことが可能となる。
【図面の簡単な説明】
　　【図１】本発明による根鉢用締結具を構成する安定板と案内部材と集合板とを組み合わせた平面図である。
　　【図２】図１の側面図である。
　　【図３】（ａ）乃至（ｃ）は本発明による押え部材の上面図と正面図と側面図である。
　　【図４】（ａ）及び（ｂ）は本発明による固定部材の上面図と側面図である。
　　【図５】本発明による弾性緊締具を示す図であり、（ａ）、（ｃ）、（ｄ）、（ｆ）はフックの上面図と側面図であり、（ｂ）、（ｅ）は弾性緊締具の側面図と上面図である。
　　【図６】本発明による根鉢用締結具の平面図である。ただし、弾性緊締具は示していない。
　　【図７】図６の側面図である。
　　【図８】本発明による根鉢用締結具を用いて根鉢を締結した状態を示す平面図である。
　　【図９】図８の側面図である。
　　【図１０】本発明による根鉢用締結具を用いて根鉢を締結する際の弾性緊締具の使用例を示す上面図である。
　　【図１１】本発明による根鉢用締結具を用いて根鉢を締結する際の弾性緊締具の他の使用例を示す上面図である。
　　【図１２】本発明による根鉢用締結具を用いて根鉢を締結する際の弾性緊締具の他の使用例を示す上面図である。
　　【図１３】本発明による根鉢用締結具を用いて根鉢を締結する際の弾性緊締具の他の使用例を示す上面図である。
　　【符号の説明】
　２…安定板
　３…案内部材
　３ａ…案内通路
　５…集合板
　６…固定部材
　６ａ…突出部
　
７…弾性緊締具
　８…押え部材
　８ａ…係合部
　８ｂ…規制部
　９…網材
　１０…根鉢
　１３…根穴